(57)【要約】【課題】雨量レーダの精度補正システム、雨量レーダの精度補正方法を提供する。【解決手段】下水管渠網が設置される領域を分割して予め設定された複数の集水区に対応する雨量レーダ値を取得する雨量レーダ値取得手段と、前記下水管渠網内の排水の流量を変換して前記集水区における各時刻の降雨量を取得する降雨量取得手段と、この取得された降雨量に基づいて前記集水区における各時刻の前記雨量レーダ値を補正する雨量レーダ値補正手段とを有することを特徴とする。【選択図】図１
2008203080.tif 000002
【特許請求の範囲】
【請求項１】
下水管渠網が設置される領域を分割して予め設定された複数の集水区に対応する雨量レーダ値を取得する雨量レーダ値取得手段と、
前記下水管渠網内の排水の流量を変換して前記集水区における各時刻の降雨量を取得する降雨量取得手段と、
この取得された降雨量に基づいて前記集水区における各時刻の前記雨量レーダ値を補正する雨量レーダ値補正手段と、
を有することを特徴とする雨量レーダの精度補正システム。
【請求項２】
下水管渠網が設置される領域を分割して予め設定された複数の集水区に対応する雨量レーダ値を取得する雨量レーダ値取得手段と、
前記下水管渠網内に設置された複数の流量計の計測値を取得する計測値取得手段と、
前記流量計の計測値に基づいて前記集水区における雨天時以外の管渠流量を各時刻について演算する晴天時管渠流量演算手段と、
前記流量計の計測値に基づいて前記集水区における雨天時の管渠流量を求め、この管渠流量が降雨の開始時刻から降雨によって上昇し始める時刻までの遅れ時間に基づいて雨水が下水管渠へ到達するまでの時間を演算する管渠到達時間演算手段と、
前記集水区において前記雨天時の管渠流量が前記降雨によって上昇し始める時刻から降雨が終了して前記雨天時以外の管渠流量に収束する時刻までの時間に基づいて雨水が前記管渠流量に影響を与える時間を演算する影響時間演算手段と、
前記雨天時の管渠流量および前記雨天時以外の管渠流量に基づいて前記集水区における降雨量を各時刻について演算し、前記管渠到達時間および前記影響時間に基づいて前記集水区における時系列の降雨量データを作成する降雨量データ作成手段と、
前記降雨量データに基づいて各時刻の前記雨量レーダ値を補正する雨量レーダ値補正手段と、
を有することを特徴とする雨量レーダの精度補正システム。
【請求項３】
前記管渠到達時間演算手段は、排水が上流の流量計の設置地点から下流の流量計の設置地点まで流下する時間を考慮して前記管渠到達時間を演算することを特徴とする請求項２記載の雨量レーダの精度補正システム。
【請求項４】
雨量レーダの精度補正システムを構成するコンピュータが行う雨量レーダの精度補正方法であって、
下水管渠網が設置される領域を分割して予め設定された複数の集水区に対応する雨量レーダ値を取得する雨量レーダ値取得ステップと、
前記下水管渠網内の排水の流量を変換して前記集水区における各時刻の降雨量を取得する降雨量取得ステップと、
この取得された降雨量に基づいて前記集水区における各時刻の前記雨量レーダ値を補正する雨量レーダ値補正ステップと、
を有することを特徴とする雨量レーダの精度補正方法。
【請求項５】
雨量レーダの精度補正システムを構成するコンピュータが行う雨量レーダの精度補正方法であって、
下水管渠網が設置される領域を分割して予め設定された複数の集水区に対応する雨量レーダ値を取得する雨量レーダ値取得ステップと、
前記下水管渠網内に設置された複数の流量計の計測値を取得する計測値取得ステップと、
前記雨量レーダ値または前記集水区内に設置された地上雨量計の計測値に基づいて前記集水区における降雨の有無を判定する降雨判定ステップと、
前記降雨判定ステップにおいて降雨無と判定された場合に、前記流量計の計測値から前記集水区における雨天時以外の管渠流量を各時刻について演算する晴天時管渠流量演算ステップと、
前記降雨判定ステップにおいて降雨有と判定された場合に、前記流量計の計測値から前記集水区における雨天時の管渠流量を各時刻について演算する雨天時管渠流量演算ステップと、
前記集水区において前記雨天時の管渠流量が降雨の開始時刻から降雨によって上昇し始める時刻までの遅れ時間を求め、この遅れ時間から雨水が下水管渠へ到達するまでの時間を演算する管渠到達時間演算ステップと、
前記集水区において前記雨天時の管渠流量が前記降雨によって上昇し始める時刻から降雨が終了して前記雨天時以外の管渠流量に収束する時刻までの時間に基づいて雨水が前記管渠流量に影響を与える時間を演算する影響時間演算ステップと、
前記晴天時管渠流量演算ステップおよび雨天時管渠流量演算ステップにおいて演算された管渠流量に基づいて前記集水区における降雨量を各時刻について演算する降雨量演算ステップと、
この演算された降雨量、前記管渠到達時間、および前記影響時間に基づいて前記集水区における時系列の降雨量データを作成する降雨量データ作成ステップと、
前記降雨量データに基づいて各時刻における前記雨量レーダ値を補正する雨量レーダ値補正ステップと、
を有することを特徴とする雨量レーダの精度補正方法。
【請求項６】
前記下水管渠網内で下水管が分岐していない区間に複数の前記流量計が設置されている場合に、前記コンピュータが、排水が上流の流量計の設置地点から下流の流量計の設置地点まで流下する時間を考慮して前記管渠到達時間を演算することを特徴とする請求項５記載の雨量レーダの精度補正方法。
【発明の詳細な説明】
【技術分野】
【０００１】
本発明は、雨量レーダの精度補正システムおよび雨量レーダの精度補正方法に関する。
【背景技術】
【０００２】
雨量レーダは、観測範囲が半径数百ｋｍにも及び、広い領域内における降雨の有無やその強度を認知する手段としては適当である。
【０００３】
しかし、降雨は局地性があるので、観測単位の大きい雨量レーダ（例えば２．５ｋｍ×２．５ｋｍの面）は、雨量の絶対量を認知する手段としては最適ではない。したがって、雨量レーダ値を正確な雨量値に近似させるために何らかの方法で補正する必要がある。
【０００４】
この種の技術としては、地上雨量計による計測値を用いて雨量レーダ値の精度を補正する技術が知られている（特許文献１参照）。
【特許文献１】特開２００２−３５０５６０号公報
【発明の開示】
【発明が解決しようとする課題】
【０００５】
しかし、地上雨量計による計測値は、地上のある一地点の雨量にすぎず、設置地点周辺の地形や建築物の影響も受け易いため、降雨状況の面的な分布を表現することを目的とした雨量レーダの精度補正には十分ではない。
【０００６】
そこで、本発明は、より広い範囲における面的な雨量値分布を高精度で測定し得る雨量レーダの精度補正システムおよび精度補正方法を提供することを目的とする。
【課題を解決するための手段】
【０００７】
本発明の雨量レーダの精度補正システムは、下水管渠網が設置される領域を分割して予め設定された複数の集水区に対応する雨量レーダ値を取得する雨量レーダ値取得手段と、前記下水管渠網内の排水の流量を変換して前記集水区における各時刻の降雨量を取得する降雨量取得手段と、この取得された降雨量に基づいて前記集水区における各時刻の前記雨量レーダ値を補正する雨量レーダ値補正手段とを有することを特徴とする。
【０００８】
また、本発明の雨量レーダの精度補正方法は、雨量レーダの精度補正システムを構成するコンピュータが行う雨量レーダの精度補正方法であって、下水管渠網が設置される領域を分割して予め設定された複数の集水区における雨量レーダ値を取得する雨量レーダ値取得ステップと、前記下水管渠網内の排水の流量を変換して前記集水区における各時刻の降雨量を取得する降雨量取得ステップと、この取得された降雨量に基づいて前記集水区における各時刻の前記雨量レーダ値を補正する雨量レーダ値補正ステップとを有することを特徴とする。
【発明の効果】
【０００９】
本発明によれば、下水管渠への排水の流入量から面的な降雨量を取得でき、かつ、雨量レーダ値の精度向上を図ることができる。
【発明を実施するための最良の形態】
【００１０】
（実施形態１）
以下、本発明の一実施形態について図面を用いて説明する。図１は、本発明の一実施形態の全体構成例を示す図である。図１に示す雨量レーダ補正システム１は、晴天時管渠流量収集ブロック１０、管渠到達時間演算ブロック２０、雨量変換ブロック３０、および雨量レーダ値補正ブロック４０から構成されるコンピュータ等の処理装置である。
【００１１】
図２は、雨量レーダ補正システム１において利用する下水管渠網が設置された領域の概略図である。下水管渠とは、市街地などにおける汚水および雨水等の排水を地下に埋められた下水管へ流し、公共用水域へ排出するための施設・設備の総称である。この下水管渠は、汚水と雨水が同じ下水管を流れる合流式下水管渠、汚水と雨水が異なる下水管を流れる分流式下水管渠の二種類に大別される。また、図２において実線で区切られた各領域は、下水処理の対象領域内で予め設定された集水区（排水区）Ａ〜Ｅを示す。この集水区は、下水管渠の設置環境等に応じて任意の規模（例えば数十から数百ｈａ）に定められ、下水処理は集水区単位またはその集合で管理される。また、複数の黒点は、それぞれ下水管渠の幹線上の排水口２を示している。下水管渠の幹線から分岐する支線（図示しない）に流入した一般家庭排水、工場排水、および雨水等の排水は矢印の向きに進み、排水口２から下水管渠の幹線へ流入する。そして、この流入した排水の流量が下水管渠内に設置された複数の流量計３によって測定される。
【００１２】
図３は、晴天時管渠流量収集ブロック１０の機能の詳細を示す図である。晴天時管渠流量収集ブロック１０は、降雨判定部１１、晴天時管渠流量演算部１２、降雨情報送信部１３、および晴天時管渠流量記憶部１４から構成されている。
【００１３】
降雨判定部１１は、下水管渠網が設けられた領域を観測範囲に含む雨量レーダ装置および集水区内の地上雨量計の計測値を取得し、これらの計測値に基づいて集水区毎に降雨の有無を判定する。
【００１４】
晴天時管渠流量演算部１２は、降雨判定部１１において晴天または曇天と判定された場合に、下水管渠網内に設置された流量計３の計測値に基づいて降雨の影響が無い時の管渠内流量を所望の期間統計処理し、その平均流量（以下、「晴天時管渠流量」とする。）を演算して晴天時管渠流量記憶部１４に記憶する。
【００１５】
更に、晴天時管渠流量演算部１２は、水位計（図示しない）の計測値に流体力学公式を用いて流量を演算する機能、集水区内の人口等から排水流量を経験的に想定する機能も備えている。
【００１６】
降雨情報送信部１３は、降雨判定部１１の判定結果を管渠到達時間演算ブロック２０および雨量変換ブロック３０へ降雨情報として送信する。尚、降雨情報には集水区毎の降雨時間（降雨開始時間、降雨終了時間）が含まれるものとする。
【００１７】
晴天時管渠流量記憶部１４は、流量計３等による計測値の履歴および晴天時管渠流量を記憶する。
【００１８】
図４は、晴天時管渠流量収集ブロック１０における処理の具体例を示すフローチャートである。
【００１９】
先ず、降雨判定部１１が、地上雨量計および雨量レーダ装置の計測値を取得し、各集水区における降雨の有無を判定する(ステップ４ａ)。
【００２０】
ここで、降雨判定部１１が、降雨無（晴天または曇天）と判定した場合には、晴天時管渠流量演算部１２は、流量計３等の計測値を収集して管渠流量を求める(ステップ４ｂ)。
【００２１】
次に、晴天時管渠流量演算部１２は、日付、季節、時刻等を考慮して管渠流量の修正処理を行う(ステップ４ｃ)。例えば、前日の同時刻、前年の同時期等における晴天時の流量と比較して適宜修正を行う。
【００２２】
次に、晴天時管渠流量演算部１２は、集水区毎に降雨が観測されない時の管渠流量の統計処理を行い、その平均流量から晴天時管渠流量を演算する(ステップ４ｄ)。
【００２３】
次に、晴天時管渠流量演算部１２は、演算された晴天時管渠流量を晴天時管渠流量記憶部１４へ登録し(ステップ４ｅ)、処理を終了する。
【００２４】
また、ステップ４ａにおいて、降雨判定部１１が降雨有と判定した場合には、降雨情報送信部１３は、管渠到達時間演算ブロック２０および雨量変換ブロック３０に対して降雨情報を送信し(ステップ４ｆ)、処理を終了する。
【００２５】
上記処理により、雨水の影響を受けていない時間帯の管渠流量を統計的に求めることができる。尚、この処理は合流式下水管渠の場合にのみ行われる。
【００２６】
図５は、管渠到達時間演算ブロック２０の機能の詳細を示す図である。管渠到達時間演算ブロック２０は、降雨情報受信部２１、管渠到達時間演算部２２、および管渠データ記憶部２３から構成されている。
【００２７】
降雨情報受信部２１は、降雨情報送信部１３から降雨情報を受信し、降雨の有無を判定する。
【００２８】
管渠到達時間演算部２２は、排水口２近傍あるいは下水管渠の途中に設置された流量計３または水位計（図示しない）の計測値から雨天時の管渠流量（以下、「雨天時管渠流量」とする。）を求める。そして、集水区内で降雨が観測されてから雨天時管渠流量が降雨によって上昇するまでの時間（以下、「遅れ時間」とする。）の統計を所望の期間とり、その平均時間（以下、「管渠到達時間」とする。）を集水区毎に求める。尚、管渠流量の上昇は、晴天時管渠流量を基準として判断される。
【００２９】
また、管渠到達時間演算部２２は、下水管渠の構造、土地利用状況、集水区面積、浸透係数等を考慮して各集水区の管渠到達時間を演算する機能も備えている。この機能によって流量計３等が設置されていない集水区における管渠到達時間を求めることができる。図６は、この管渠到達時間を説明する図である。すなわち、集水区内に降った雨水が、矢印の方向に進んで地表面を流下または地下へ浸透して、管渠到達時間後に下水管渠の排水口２に達する様子を示している。
【００３０】
更に、管渠到達時間演算部２２は、管渠流量が上昇し始める時刻から降雨が終了して管渠流量が晴天時管渠流量まで収束する時刻までの時間、すなわち、雨水が管渠流量に影響を与えている時間の統計を所望の期間とり、その平均時間（以下、「影響時間」とする。）を集水区毎に求める。
【００３１】
図７は、管渠流量と管渠到達時間および影響時間の関係を説明する図である。ここでは、時刻Ｔ１において降雨が始まり、時刻Ｔ２において流量計の計測値が晴天時管渠流量と比較して上昇し始めている。そして、時刻Ｔ３において降雨が終了し、時刻Ｔ４において管渠流量が晴天時管渠流量と同程度まで収束している。すなわち、時刻Ｔ１〜Ｔ２の時間が管渠到達時間、時刻Ｔ２〜Ｔ４の時間が影響時間を示している。
【００３２】
管渠データ記憶部２３は、遅れ時間、管渠到達時間、影響時間等の下水管渠に関連するデータ群（以下、「管渠データ」とする。）を記憶する。
【００３３】
図８は、管渠到達時間演算ブロック２０における処理の具体例を示すフローチャートである。
【００３４】
先ず、降雨情報受信部２１が、晴天時管渠流量収集ブロック１０（降雨情報送信部１３）から受信した降雨情報に基づいて各集水区における降雨の有無を判定する(ステップ８ａ)。
【００３５】
ここで、降雨情報受信部２１が降雨有と判定した場合には、管渠到達時間演算部２２は、流量計３等の計測値を収集して雨天時管渠流量を求め(ステップ８ｂ)、ステップ８ｃへ進む。これに対し、降雨情報受信部２１が降雨無と判定した場合には、処理を終了する。
【００３６】
ステップ８ｃにおいて、管渠到達時間演算部２２は、降雨時間、遅れ時間、晴天時管渠流量、および雨天時管渠流量に基づいて統計処理を行い、管渠到達時間および影響時間を求める。
【００３７】
次に、管渠到達時間演算部２２は、管渠到達時間、および影響時間を含む管渠データを管渠データ記憶部２３に登録し(ステップ８ｄ)、処理を終了する。
【００３８】
上記処理により、管渠到達時間および影響時間を統計的に求めることができる、すなわち、降雨と管渠流量の関係を知ることができる。
【００３９】
図９は、下水管が分岐していない区間内に複数の流量計が設置されている場合の具体例を示す図である。下流の集水区Ｂの正確な流量を求めるためには、上流の集水区Ａより流下してくる流量を考慮する必要がある。この場合、雨水等の排水が流量計３Ａの設置地点から流量計３Ｂの設置地点まで流下する時間を知る必要がある。この流下時間は、管の径や勾配、管内の粗度係数、流量計３の計測値等から力学公式を用いて求める。
【００４０】
更に、各集水区における降雨の有無も考慮する必要がある。すなわち、上流の集水区Ａと下流の集水区Ｂの両方で降雨が観測されている場合には、流量計３Ａの設置地点から流量計３Ｂの設置地点までの排水の流下時間を遡って管渠到達時間の演算を行う。
【００４１】
これに対し、上流の集水区Ａで降雨が観測され、かつ、下流の集水区Ｂで降雨が観測されていない場合には、集水区Ｂの流量計３Ｂの値が上昇しても集水区Ｂについての管渠到達時間の演算を行わない。また、上流の集水区Ａでは降雨が観測されず、かつ、下流の集水区Ｂで降雨が観測された場合には、集水区Ａの流量計３Ａの値は集水区Ｂにおける管渠到達時間の演算において考慮しない。
【００４２】
図１０は、下水管が分岐していない区間内に複数の流量計３が設置されている場合の管渠到達時間演算ブロック２０における処理の具体例を示すフローチャートである。
【００４３】
先ず、管渠到達時間演算部２２が、管の径、勾配、粗度係数等の下水管渠情報に基づいて管内流下時間を演算する(ステップ１０ａ)。
【００４４】
次に、降雨情報受信部２１は、降雨情報送信部１３からの降雨情報に基づいて対象とする集水区（以下、「対象集水区」とする。）における降雨の有無を判定する(ステップ１０ｂ)。
【００４５】
ここで、降雨情報受信部２１が、対象集水区について降雨有と判定した場合には、管渠到達時間演算部２２は、対象集水区に係る流量計３の計測値を収集して管渠流量を求め(ステップ１０ｃ)、ステップ１０ｄへ進む。これに対し、降雨情報受信部２１が対象集水区について降雨無と判定した場合には、処理を終了する。
【００４６】
ステップ１０ｄにおいて、降雨情報受信部２１は、対象集水区の上流にあたる集水区（以下、「上流集水区」とする）の中に雨天の集水区が存在するか否かを判定する。ここで、降雨情報受信部２１が雨天の上流集水区が存在すると判定した場合には、管渠到達時間演算部２２は、雨天の上流集水区における計測値を収集して管渠流量を求める(ステップ１０ｅ)。
【００４７】
次に、管渠流量演算部２２は、対象集水区における計測値、上流集水区における計測値、降雨開始時間、および晴天時管渠流量に基づいて対象集水区における管渠到達時間および影響時間を演算し(ステップ１０ｆ)、ステップ１０ｈへ進む。
【００４８】
また、ステップ１０ｄにおいて、降雨情報受信部２１が雨天の上流集水区が存在しないと判定した場合には、管渠流量演算部２２は、対象集水区における計測値、降雨開始時間、および晴天時管渠流量に基づいて対象集水区における管渠到達時間および影響時間を演算し(ステップ１０ｇ)、ステップ１０ｈへ進む。
【００４９】
次に、管渠到達時間演算部２２は、対象集水区における管渠到達時間、および影響時間等を含む管渠データを管渠データ記憶部２３に登録し(ステップ１０ｈ)、処理を終了する。
【００５０】
上記処理により、集水区毎に流量計が設置されていない集水区についても管渠到達時間および影響時間を求めることができる。
【００５１】
図１１は、雨量変換ブロック３０の機能の詳細を示す図である。雨量変換ブロック３０は、雨天判定部３１、管渠流量取得部３２、管渠データ取得部３３、降雨量データ作成部３４、および降雨量データ送信部３５から構成される。
【００５２】
雨天判定部３１は、晴天時管渠流量収集ブロック１０（降雨判定部１１）から降雨情報を取得し、集水区毎に降雨の有無を判定する。
【００５３】
管渠流量取得部３２は、雨天判定部３１において降雨有と判定された場合に、流量計３または水位計（図示しない）の計測値に基づいて現時点における雨天時管渠流量（以下、「実管渠流量」とする。）を求め、晴天時管渠流量収集ブロック１０（晴天時管渠流量記憶部１４）からは晴天時管渠流量を取得する。
【００５４】
管渠データ取得部３３は、雨天判定部３１において降雨有と判定された場合に、管渠到達時間演算ブロック２０（管渠データ記憶部２３）から管渠データを取得する。
【００５５】
降雨量データ作成部３４は、実管渠流量および晴天時管渠流量に基づいて降雨量を演算し、この演算された降雨量、管渠到達時間、および影響時間から集水区毎に時系列の降雨量データを作成する。
【００５６】
降雨量データ送信部３５は、降雨量データを雨量レーダ値補正ブロック４０へ送信する。
【００５７】
図１２は、雨量変換ブロック３０における処理の具体例を示すフローチャートである。
【００５８】
先ず、雨天判定部３１が、晴天時管渠流量収集ブロック１０（降雨情報送信部１３）から受信した降雨情報に基づいて各集水区における降雨の有無を判定する(ステップ１２ａ)。
【００５９】
ここで、雨天判定部３１が降雨有と判定した集水区の場合には、その集水区毎に流量計３の計測値を取得し実管渠流量を求める（ステップ１２ｂ）。
【００６０】
次に、管渠流量取得部３２は、晴天時管渠流量記憶部１４から対象となる集水区毎に晴天時管渠流量を取得する（ステップ１２ｃ）。
【００６１】
次に、降雨量データ作成部３４は、実管渠流量および晴天時管渠流量に基づいて集水区毎に降雨量を演算する（ステップ１２ｄ）。
【００６２】
次に、管渠データ取得部３３は、管渠到達時間演算ブロック２０（管渠データ記憶部２３）から集水区毎に管渠データを取得する（ステップ１２ｅ）。
【００６３】
次に、降雨量データ作成部３４は、降雨量、管渠到達時間、影響時間に基づいて集水区毎に時系列の降雨量データを作成する(ステップ１２ｆ)。
【００６４】
図１３は、雨量変換方法および降雨量データ作成の具体例を説明する図である。ここでは、時刻Ｔ１において降雨が始まり、時刻Ｔ２において流量計の計測値が晴天時管渠流量と比較して上昇傾向となり、時刻Ｔ３に実管渠流量が最大流量を記録している。そして、時刻Ｔ４において降雨が終了し、時刻Ｔ５において管渠流量が晴天時管渠流量と同程度まで収束している。この場合、影響時間（時刻Ｔ２〜Ｔ５）において流量計の計測値から求めた実管渠流量から晴天時管渠流量を差し引き、その流量の差分を集水区における降雨量とする。そして、この降雨量がいずれの時刻に該当するかを管渠到達時間（時刻Ｔ１〜Ｔ２）に基づいて決定する。例えば、流量の差分は時刻Ｔ３において最大であるが、これは時刻Ｔ３から管渠到達時間だけ過去に遡った時刻Ｔにおける降雨量に該当する。
【００６５】
次に、降雨量データ送信部３５は、作成された降雨量データを雨量レーダ値補正ブロック４０へ送信する(ステップ１２ｇ)。
【００６６】
また、ステップ１２ａにおいて、雨天判定部３１が降雨無と判定した集水区の場合には、処理を終了する。
【００６７】
上記処理により、晴天時管渠流量収集ブロック１０および管渠到達時間演算ブロック２０から取得される情報に基づいて各集水区の降雨量を時間毎に求めることができる。
【００６８】
図１４は、雨量レーダ値補正ブロック４０の機能の詳細を示す図である。雨量レーダ値補正ブロック４０は、雨量レーダ値取得部４１、降雨量データ受信部４２、および雨量レーダ値補正部４３から構成される。
【００６９】
雨量レーダ値取得部４１は、雨量レーダ装置（図示しない）から雨量レーダ値を取得する。
【００７０】
降雨量データ受信部４２は、雨量変換ブロック３０（降雨量データ送信部３５）から各集水区の降雨量データを受信する。
【００７１】
雨量レーダ値補正部４３は、各集水区における時系列の降雨量データに基づいて雨量レーダ値を補正する。
【００７２】
図１５は、雨量レーダ値補正ブロック４０の処理の具体例を示すフローチャートである。
【００７３】
先ず、雨量レーダ値取得部４１は、雨量レーダ装置の計測値を取得する(ステップ１５ａ)。
【００７４】
次に、降雨量データ受信部４２は、雨量変換ブロック３０（降雨量データ送信部３５）から受信した降雨量データに基づいて各集水区の各時刻における降雨の有無を判定する(ステップ１５ｂ)。
【００７５】
ここで、降雨量データ受信部４２が降雨有と判定した集水区の場合には、雨量レーダ値補正部４３は、その集水区に係る降雨量データに基づいて降雨時間における雨量レーダ値を面的に補正し(ステップ１５ｃ)、処理を終了する。
【００７６】
また、ステップ１５ｂにおいて、降雨量データ受信部４２が降雨無と判定した集水区の場合には、雨量レーダ値の補正を行わずに処理を終了する。
【００７７】
上記処理により、雨量変換ブロック３０から取得される降雨量データに基づいて各集水区の各時刻における雨量レーダ値を面的に補正することができる。
【００７８】
図１６は、この雨量レーダ値補正の説明図である。すなわち、集水区（Ａ、Ｂ、Ｃ）における降雨は、下水管渠の排水口近傍の流量計３（Ａ、Ｂ、Ｃ）で計測され、晴天時管渠流量収集ブロック１０、管渠到達時間演算ブロック２０、および雨量変換ブロック３０によって各集水区における時系列の降雨量データに変換される。そして、集水区域に対応する範囲における雨量レーダ値が、各集水区の降雨量データによって面的に補正される。
【００７９】
このように下水管渠への流入量から換算された面的な降雨量によって雨量レーダ値が補正されるので、雨量レーダ値の精度が向上する。また、雨量レーダ値の精度向上に伴い、雨量レーダ値を用いるシステム（例えば、降雨量予測、下水機場への流入量予測、雨量レーダ値表示、災害予測等のシステム）の精度も向上する。
【００８０】
尚、本発明は上記実施形態に限定されるものではなく、本発明の技術的思想の範囲内で種々変形して実施可能である。例えば、晴天時管渠流量収集ブロック１０は、合流式下水管渠の場合のみ設ければ良い。すなわち、雨水が汚水と異なる下水管を流れる分流式下水管渠の場合には、雨水用の配管における流量を換算して降雨量を求める構成とし、下水管渠の構造に応じて選択可能である。また、各ブロックを独立した処理装置とし、必要に応じて分離、統合させても良い。
【図面の簡単な説明】
【００８１】
【図１】本発明の一実施形態に係る雨量レーダ補正システム１の全体構成例を示す図。
【図２】本発明の一実施形態に係る雨量レーダ補正システム１において利用する下水管渠網が設置された領域の概略図。
【図３】本発明の一実施形態に係る晴天時管渠流量収集ブロック１０の機能の詳細を示す図。
【図４】本発明の一実施形態に係る晴天時管渠流量収集ブロック１０における処理の具体例を示すフローチャート。
【図５】本発明の一実施形態に係る管渠到達時間演算ブロック２０の機能の詳細を示す図。
【図６】本発明の一実施形態に係る管渠到達時間を説明する図。
【図７】本発明の一実施形態に係る管渠流量と管渠到達時間および影響時間の関係を説明する図。
【図８】本発明の一実施形態に係る管渠到達時間演算ブロック２０における処理の具体例を示すフローチャート。
【図９】本発明の一実施形態に係る管内流下時間を説明する図。
【図１０】本発明の一実施形態に係る管渠到達時間演算ブロック２０における処理の具体例を示すフローチャート。
【図１１】本発明の一実施形態に係る雨量変換ブロック３０の機能の詳細を示す図。
【図１２】本発明の一実施形態に係る雨量変換ブロック３０における処理の具体例を示すフローチャート。
【図１３】本発明の一実施形態に係る雨量変換方法および降雨量データ作成の具体例を示す図。
【図１４】本発明の一実施形態に係る雨量レーダ値補正ブロック４０の機能の詳細を示す図。
【図１５】本発明の一実施形態に係る雨量レーダ値補正ブロック４０における処理の具体例を示すフローチャート。
【図１６】本発明の一実施形態に係る雨量レーダ値補正の具体例を示す図。
【符号の説明】
【００８２】
１…雨量レーダ補正システム、
２…排水口、３…流量計、
１０…晴天時管渠流量収集ブロック、１１…降雨判定部、
１２…晴天時管渠流量演算部、１３…降雨情報送信部、
１４…晴天時管渠流量記憶部、
２０…管渠到達時間演算ブロック、２１…降雨情報受信部、
２２…管渠到達時間演算部、２３…管渠データ記憶部、
３０…雨量変換ブロック、３１…雨天判定部、
３２…管渠流量取得部、３３…管渠データ取得部、
３４…降雨量データ作成部、３５…降雨量データ送信部、
４０…雨量レーダ値補正ブロック、４１…雨量レーダ値取得部、
４２…降雨量データ受信部、４３…雨量レーダ値補正部。
【図１】
2008203080.tif 000003
【図２】
2008203080.tif 000004
【図３】
2008203080.tif 000005
【図４】
2008203080.tif 000006
【図５】
2008203080.tif 000007
【図６】
2008203080.tif 000008
【図７】
2008203080.tif 000009
【図８】
2008203080.tif 000010
【図９】
2008203080.tif 000011
【図１０】
2008203080.tif 000012
【図１１】
2008203080.tif 000013
【図１２】
2008203080.tif 000014
【図１３】
2008203080.tif 000015
【図１４】
2008203080.tif 000016
【図１５】
2008203080.tif 000017
【図１６】
2008203080.tif 000018